(57)【特許請求の範囲】
【請求項１】
免震ビル等の建物の外壁面と目地部を介して境界線近傍等に設けたよう壁の上部に形成された支持台と、この支持台に一端部が支持され、他端部が該支持台よりも上部に位置する前記建物の外壁面に支持される目地プレートと、この目地プレートを地震等の揺れ動きで目地部が狭くなると上方へ回動させ、目地部が広くなると前記建物の外壁面あるいは前記よう壁とから離れ、揺れ動きが停止すると元の状態に戻すことができる目地プレート支持機構とからなる目地装置において、前記目地プレート支持機構は前記支持台に前記目地プレートの一端部を回動可能に支持するヒンジ部材と、前記目地プレートの両端部を除く下面に設けられたガイドレールと、このガイドレールに一端部がスライド移動可能に取付けられ、他端部が該ガイドレールよりも下部位置の前記建物の外壁面に取付けられた支持片に着脱可能に支持されるはね上げアームと、このはね上げアームの一端部寄りの部位に一端部が枢支され、他端部が前記よう壁の上部寄りの部位の支持部に支持される支承アームと、前記はね上げアームの一端部を常時前記よう壁方向へ付勢する付勢スプリングとで構成したことを特徴とする目地装置。
【請求項２】
免震ビル等の建物の外壁面と目地部を介して境界線近傍等に設けたよう壁の上部に形成された支持台と、この支持台に一端部が位置し、他端部が該支持台よりも上部に位置する前記建物の外壁面に回動可能に取り付けられたほぼ中央部で上方へ回動可能な目地プレートと、この目地プレートを地震等の揺れ動きで目地部が狭くなると上方へ回動させ、目地部が広くなると前記よう壁とから離れ、揺れ動きが停止すると元の状態に戻すことができる目地プレート支持機構とからなる目地装置において、前記目地プレート支持機構は前記建物の外壁面にほぼ水平方向に回動可能に取付けられた前記目地プレートのほぼ中央部を上方へ回動できるように支持するヒンジ部材と、前記目地プレートの一端部側の中央部側の下面に設けられたガイドレールと、このガイドレールに一端部がスライド移動可能に取付けられ、他端部が前記建物の外壁面に支持されるはね上げアームと、このはね上げアームの一端部寄りの部位に一端部が枢支され、他端部が前記前記よう壁の支持台に支持された支承アームとで構成したことを特徴とする目地装置。
【発明の詳細な説明】
【技術分野】
【０００１】
本発明は免震ビル等の建物の外壁面と他人の土地との境界線近傍に設けられたよう壁との間の目地部を覆う目地装置に関する。
【背景技術】
【０００２】
従来、この種の免震ビル等の建物の外壁面には、固定的に取付けられた庇が設けられている。
【０００３】
このような庇は免震ビル等の建物の外壁面に固定的に取付けられているため、他人の土地の境界線との間が狭い場合、５００ミリ前後移動可能な免震ビル等の建物にあっては、庇の先端部が境界線を越えてしまうという欠点があった。
【特許文献１】特になし
【発明の開示】
【発明が解決しようとする課題】
【０００４】
本発明は以上のような従来の欠点に鑑み、境界線と接していても、地震等によって揺れ動いても、境界線を越えて突出するのを確実に阻止することができるとともに、目地部が狭くなったり、広くなる揺れ動きが生じても、確実に元の状態へ戻ってメンテナンスが不要で使用することができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は免震ビル等の建物の外壁面と目地部を介して境界線近傍等に設けたよう壁の上部に形成された支持台と、この支持台に一端部が支持され、他端部が該支持台よりも上部に位置する前記建物の外壁面に支持される目地プレートと、この目地プレートを地震等の揺れ動きで、目地部が狭くなると上方へ回動させ、目地部が広くなると前記建物の外壁面あるいは前記よう壁とから離れ、揺れ動きが停止すると元の状態に戻すことができる目地プレート支持機構とからなる目地装置において、前記目地プレート支持機構は前記支持台に前記目地プレートの一端部を回動可能に支持するヒンジ部材と、前記目地プレートの両端部を除く下面に設けられたガイドレールと、このガイドレールに一端部がスライド移動可能に取付けられ、他端部が該ガイドレールよりも下部位置の前記建物の外壁面に取付けられた支持片に着脱可能に支持されるはね上げアームと、このはね上げアームの一端部寄りの部位に一端部が枢支され、他端部が前記よう壁の上部寄りの部位の支持部に支持される支承アームと、前記はね上げアームの一端部を常時前記よう壁方向へ付勢する付勢スプリングとで目地装置を構成している。
【発明の効果】
【０００７】
以上の説明から明らかなように、本発明にあっては次に列挙する効果が得られる。
【０００８】
（１）目地プレート支持機構を備える目地装置において、目地プレート支持機構は前記支持台に前記目地プレートの一端部を回動可能に支持するヒンジ部材と、前記目地プレートの両端部を除く下面に設けられたガイドレールと、このガイドレールに一端部がスライド移動可能に取付けられ、他端部が該ガイドレールよりも下部位置の前記建物の外壁面に取付けられた支持片に着脱可能に支持されるはね上げアームと、このはね上げアームの一端部寄りの部位に一端部が枢支され、他端部が前記よう壁の上部寄りの部位の支持部に支持される支承アームと、前記はね上げアームの一端部を常時前記よう壁方向へ付勢する付勢スプリンとで構成されているので、地震等で目地部が狭くなるように揺れ動いた場合には、目地プレート支持機構によって目地プレートをスムーズに回動させて、その揺れ動きを吸収することができるとともに、目地プレートの一端部が境界線を越えて移動するのを確実に防止することができる。
【０００９】
（２）前記（１）によって、ガイドレール、はね上げアーム、支承アームおよび付勢スプリングによって、揺れ動きが停止すると確実に元の状態へ自動的に戻すことができる。
したがって、地震があったとしてもメンテナンスが不要で使用することができる。
【００１０】
（３）前記（１）によって、地震等で目地部が広くなると、通常時の目地プレートの状態を保って、建物の外壁面が離れてその揺れ動きを吸収するとともに、揺れ動きが停止すると確実に元の状態へ自動的に戻すことができる。
【００１１】
（４）前記（１）によって、目地プレートをはね上げアーム、支承アームおよび付勢スプリングで支持するため、強風等で目地プレートが揺れ動くのを効率よく阻止することができる。
【００１２】
（５）請求項２も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は免震ビル等の建物２の外壁面３と目地部４を介して境界線近傍に設けたよう壁５との間を覆う本発明の目地装置で、この目地装置１は前記よう壁５の上部に形成された支持台６と、この支持台６に一端部が支持され、他端部が該支持台６よりも上部に位置する前記建物２の外壁面３に複数本のビス７で固定された先端部が下方に位置するように傾斜面に形成された支持片８に支持される目地プレート９と、この目地プレート９を地震等の揺れ動きで目地部４が狭くなると上方へ回動させ、目地部４が広くなると前記建物２の外壁面３から離れ、揺れ動きが停止すると元の状態へ戻すことができる目地プレート支持機構１０と、前記目地プレート９の他端部の上方への回動のじゃまにならない部位の前記外壁面３に取付けられた水切片１１と、前記目地プレート９の通常状態の位置を保持するように、前記よう壁５に取付けられた位置保持片１２とで構成されている。
【００１５】
前記目地プレート９は、図３に示すように目地プレート本体１３と、この目地プレート本体１３の他端部の上面より外方へ突出するように取付けられた、ゴムや弾性合成樹脂材製の防水シート１４とで構成されている。
【００１６】
前記目地プレート支持機構１０は前記支持台６に前記目地プレート９の一端部を回動可能に支持するヒンジ部材１５と、前記目地プレート９の両端部を除く下面に設けられた少なくとも２個以上のリップミゾ形鋼形状のガイドレール１６、１６と、このガイドレール１６、１６に一端部がローラ１７、１７を介してスライド移動可能に取付けられ、円弧状に形成された他端部が該ガイドレール１６、１６よりも下部位置の前記建物２の外壁面３に複数本のビス１８で取付けられた先端部が下方に位置するように傾斜面に形成された支持片１９に着脱可能に支持されるチャンネル形状で一端部側が弧状のはね上げアーム２０と、このはね上げアーム２０の一端部寄りの部位に枢支ピン２１で一端部が枢支され、他端部が前記よう壁５の上部寄りの部位をアングル状に切り欠いて形成された支持部２２に取付けられた支持金具２３に回動可能に支持される支承アーム２４と、前記はね上げアーム２０の一端部を常時前記よう壁５方向へ付勢する一端部が前記はね上げアーム２０の一端部に取付けられ、他端部が前記よう壁５に取付けられた付勢スプリング２５とで構成されている。
なお、前記ガイドレール１６、１６の両端部には、通常状態ではね上げアーム２０、２０の一端部のローラ１７、１７が当接するストッパー２６、２６および前記目地プレート９の回動移動時にはね上げアーム２０、２０のローラ１７、１７がガイドレール１６、１６より外れるのを防止するストッパー２７、２７を形成しておくとよい。
【００１７】
上記構成の目地装置１は通常時には図１および図２に示すように、目地プレート９の一端部はヒンジ部材１５を介してよう壁５の支持台６および位置保持片１２に支持される。他端部は外壁面３の支持片８に支持され、付勢スプリング２５でこの状態を保つように支持されている。
【００１８】
地震等で目地部４が狭くなるように揺れ動いた場合には、図６に示すように支承アーム２４に支持されたはね上げアーム２０の一端部は上方へ回動し、一端部のローラ１７、１７がガイドレール１６、１６に沿って移動して、目地プレート９の他端部を上方へ回動するように移動させ、その揺れ動きを吸収する。
揺れ動きが停止すると、元の状態へ自動的に戻る。
【００１９】
目地部４が広くなるように揺れ動いた場合には、図７に示すように目地プレート９は通常状態を保った状態で、建物２の外壁面３が目地プレート９の他端部およびはね上げアーム２０の他端部より離れるように移動して、その揺れ動きを吸収する。
揺れ動きが停止すると、元の状態へ自動的に戻る。
[発明を実施するための異なる形態]
【００２０】
次に、図８ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図８ないし図１０に示す本発明を実施するための第２の形態において、前記本発明を実施するための最良の第１の形態と主に異なる点は、ガイドレール１６、１６を内蔵した目地プレート９Ａ
と、この目地プレート９Ａの他端部を建物２の外壁面３に形成された凹部２８の下部位置に配置した支持片８に支持できるようにするとともに、よう壁５の上面に位置保持片１２Ａを取付けた目地プレート支持機構１０Ａを用いた点で、このように構成した目地装置１Ａにしても、前記本発明を実施するための最良の第１の形態と同様な作用効果が得られる。
【００２２】
図１１ないし図１５に示す本発明を実施するための第３の形態において、前記本発明を実施するための最良の第１の形態と主に異なる点は、目地プレート9 Ｂと目地プレート支持機構１０Ｂで、この目地プレート支持機構１０Ｂは、はね上げアーム２０Ａ、支承アーム２４Ｂ、支持ワイヤ２９、支持片３０と、建物２の外壁面3に取付けられ支持ワイヤ３１により突出範囲を拘束されたヒンジ部材３２とで構成され、このヒンジ部材３２の先端部に前記目地プレート9 Ｂの先端部が枢支され前記目地プレート9 Ｂの自重を支えており、この目地プレート9 Ｂはまた建物２に支持片８Ａで枢支され、よう壁５側に下だり勾配のほぼ中央部で上方へ回動可能に構成された目地プレート9 Ｂの上部目地プレート９ａと、この上部目地プレート９ａより下側にあり目地部４の中央部で前記上部目地プレート９ａと枢支される下部目地プレート９ｂとで構成されている。
このような目地プレート9 Ｂと目地プレート支持機構１０Ｂ を用いた目地装置１Ｂにしても、目地部４が狭くなると図１４に示すように目地プレート9 Ｂの上部目地プレート９ａと下部目地プレート９ｂはお互い反対方向に回動し前記上部目地プレート９ａと下部目地プレート９ｂの枢支部が上方に移動して揺れ動きを吸収し、目地部４が広くなると図１５に示すように移動して揺れ動きを吸収し、記本発明を実施するための最良の第１の形態と同様な作用効果が得られる。
【産業上の利用可能性】
【００２３】
本発明は目地装置を製造する産業で利用される。
【図面の簡単な説明】
【００２４】
【図１】本発明を実施するための最良の第１の形態の斜視図。
【図２】図１の２−２線に沿う拡大断面図。
【図３】本発明を実施するための最良の第１の形態の目地プレートの説明図。
【図４】本発明を実施するための最良の第１の形態の目地プレート支持機構の説明図。
【図５】本発明を実施するための最良の第１の形態のはね上げアーム、支承アームの説明図。
【図６】本発明を実施するための最良の第１の形態の目地部が狭くなった動作説明図。
【図７】本発明を実施するための最良の第１の形態の目地部が広くなった動作説明図。
【図８】本発明を実施するための第２の形態の斜視図。
【図９】図８の９−９線に沿う拡大断面図。
【図１０】本発明を実施するための第２の形態の目地プレート支持機構の説明図。
【図１１】本発明を実施するための第３の形態の斜視図。
【図１２】図１１の１２−１２線に沿う拡大断面図。
【図１３】本発明を実施するための第３の形態の目地プレート支持機構の説明図。
【図１４】本発明を実施するための第３の形態の目地部が狭くなった動作説明図。
【図１５】本発明を実施するための第３の形態の目地部が広くなった動作説明図。
【符号の説明】
【００２５】
１：目地装置、                  ２：建物、
３：外壁面、                    ４：目地部、
５：よう壁、                    ６：支持台、
７：ビス、                      ８：支持片、
９：目地プレート、            １０：目地プレート支持機構、
１１：水切片、                １２：位置保持片、
１３：目地プレート本体、      １４：防水シート、
１５：ヒンジ部材、            １６：ガイドレール、
１７：ローラ、                １８：ビス、
１９：支持片、                ２０：はね上げアーム、
２１：枢支ピン、              ２２：支持部、
２３：支持金具、              ２４：支承アーム、
２５：付勢スプリング、        ２６：ストッパー、
２７：ストッパー、            ２８：凹部、
２９：支持ワイヤ、            ３０：支持片、
３１：支持ワイヤ、            ３２：ヒンジ部材。
【図１】
0004499028.tif 000002
【図２】
0004499028.tif 000003
【図３】
0004499028.tif 000004
【図４】
0004499028.tif 000005
【図５】
0004499028.tif 000006
【図６】
0004499028.tif 000007
【図７】
0004499028.tif 000008
【図８】
0004499028.tif 000009
【図９】
0004499028.tif 000010
【図１０】
0004499028.tif 000011
【図１１】
0004499028.tif 000012
【図１２】
0004499028.tif 000013
【図１３】
0004499028.tif 000014
【図１４】
0004499028.tif 000015
【図１５】
0004499028.tif 000016